(57)【特許請求の範囲】
【請求項１】
前に他の作業工程と接続される真空ラミネータ装置の機台に設けられた真空室に対してフィルムを機台の送り出し側から送り出すためのフィルムローラを保持する機構であって、
前記フィルムローラの軸部を保持する上方に挿入開口が設けられた軸受け部を内側に有する左右の側部材と前記側部材を連結する２条のレール部材ならびにフィルムをガイドするガイドロッドとによって少なくとも送り出し側および上方が開放された独立したローラ支持体を形成するとともに、前記機台には前記ローラ支持体のレール部材のための転動ボールを内蔵した摺動構成体よりなる保持摺動部を設け、前記ローラ支持体を前記機台に保持しつつ前記フィルムローラの軸部方向と平行に移動自在に構成したことを特徴とする真空式ラミネータ装置のフィルムローラ保持機構。
【請求項２】
前に他の作業工程と接続される真空ラミネータ装置の機台に設けられた真空室に対してフィルムを機台の送り出し側から送り出すためのフィルムローラを保持する機構であって、
機台の側端に送り出し側の下のフィルムローラのローラ支持体が設けられるとともに、機台の上面に送り出し側の上のフィルムローラのローラ支持体が設けられ、前記ローラ支持体はいずれも、前記フィルムローラの軸部を保持する上方に挿入開口が設けられた軸受け部を内側に有する左右の側部材と前記側部材を連結するレール部材ならびにフィルムをガイドするガイドロッドとによって少なくとも送り出し側および上方が開放されて形成され、前記機台には前記ローラ支持体のレール部材のための転動ボールを内蔵した摺動構成体よりなる保持摺動部を設け、前記ローラ支持体を前記機台に保持しつつ前記フィルムローラの軸部方向と平行に移動自在に構成したことを特徴とする真空式ラミネータ装置のフィルムローラ保持機構。
【発明の詳細な説明】
【０００１】
【発明の属する技術分野】
この発明は、機台に設けられた真空室に対してフィルムを送り出すためのフィルムローラを保持する真空式ラミネータ装置のフィルムローラ保持機構に関する。
【０００２】
【従来の技術】
例えば特開平１１−３２０６８２号公報に示されるように、プリント配線基板の表面上にフォトレジスト形成層を積層するために、感光性樹脂が塗布されたフィルム基材を基板上に積層する真空式ラミネータ装置が知られている。
この種真空式ラミネータ装置においては、基板を搬送するキャリアフィルムやフィルム基材の基材表面を保護する保護フィルム等が加熱手段と真空加圧手段とを備えた真空室に送り出され又は真空室から引き出される。
【０００３】
これらのキャリアフィルムや保護フィルム等のフィルムローラを保持する機構としては、例えば図１２に示したように、ラミネータ装置１００の機台１０１の前後に固定された取付部材１０２，１０３に軸支部１０４，１０５，１０６，１０７を設けるのが一般的である。そして、例えばキャリアフィルムＦ１のローラ１１１を前部の軸支部１０４にセットしてその巻取りローラ１１２を後部の軸支部１０６にセットしてキャリアフィルムＦ１が掛け渡される。同様に、保護フィルムＦ２のローラ１１３を前部の軸支部１０５にセットしてその巻取りローラ１１４を後部の軸支部１０７にセットして保護フィルムＦ２が掛け渡される。
【０００４】
しかるに、これらのローラ１１１，１１２，１１３，１１４は、必要に応じ交換されるのであるが、従来では軸支部１０４，１０５，１０６，１０７が固定されているために、各ローラ１１１，１１２，１１３，１１４の着脱はその場で行わねばならなかった。しかしながら、この種装置にあっては、図中鎖線で示すように、ラミネータ装置１００の前後に他の作業工程の装置Ｐ，Ｑ等が接続されるのが通常で、連続するライン上に固定された軸支部１０４，１０５，１０６，１０７の位置で、フィルムローラの着脱を行うことは極めて煩雑な作業で、作業員に対する負担も大きく、作業の遅延につながるおそれがあった。
【０００５】
【発明が解決しようとする課題】
そこで、この発明はこのような問題を解消するために、フィルムローラの交換を無理なく簡単容易に行うことができる真空式ラミネータ装置のフィルムローラ保持機構を提供しようとするものである。
【０００６】
【課題を解決するための手段】
すなわち、請求項１の発明は、前に他の作業工程と接続される真空ラミネータ装置の機台に設けられた真空室に対してフィルムを機台の送り出し側から送り出すためのフィルムローラを保持する機構であって、前記フィルムローラの軸部を保持する上方に挿入開口が設けられた軸受け部を内側に有する左右の側部材と前記側部材を連結する２条のレール部材ならびにフィルムをガイドするガイドロッドとによって少なくとも送り出し側および上方が開放された独立したローラ支持体を形成するとともに、前記機台には前記ローラ支持体のレール部材のための転動ボールを内蔵した摺動構成体よりなる保持摺動部を設け、前記ローラ支持体を前記機台に保持しつつ前記フィルムローラの軸部方向と平行に移動自在に構成したことを特徴とする真空式ラミネータ装置のフィルムローラ保持機構に係る。
【０００７】
また、請求項２の発明は、前に他の作業工程と接続される真空ラミネータ装置の機台に設けられた真空室に対してフィルムを機台の送り出し側から送り出すためのフィルムローラを保持する機構であって、機台の側端に送り出し側の下のフィルムローラのローラ支持体が設けられるとともに、機台の上面に送り出し側の上のフィルムローラのローラ支持体が設けられ、前記ローラ支持体はいずれも、前記フィルムローラの軸部を保持する上方に挿入開口が設けられた軸受け部を内側に有する左右の側部材と前記側部材を連結するレール部材ならびにフィルムをガイドするガイドロッドとによって少なくとも送り出し側および上方が開放されて形成され、前記機台には前記ローラ支持体のレール部材のための転動ボールを内蔵した摺動構成体よりなる保持摺動部を設け、前記ローラ支持体を前記機台に保持しつつ前記フィルムローラの軸部方向と平行に移動自在に構成したことを特徴とする真空式ラミネータ装置のフィルムローラ保持機構に係る。
【０００８】
【発明の実施の形態】
以下添付の図面に従ってこの発明を詳細に説明する。
図１はこの発明のフィルムローラ保持機構の一実施例を示す真空ラミネータ装置の前部の側面図、図２は同じく真空ラミネータ装置の後部の側面図、図３は送り出し側のフィルムローラ保持機構を示す平面図、図４は図３のローラ支持体を引き出した状態の平面図、図５はローラ支持体の斜視図、図６はローラ支持体を引き出した状態の斜視図、図７は巻き取り側のフィルムローラ保持機構を示す平面図、図８は図７のローラ支持体の斜視図、図９はローラ支持体を引き出した状態の斜視図、図１０は摺動構成体の一例を表す部分斜視図、図１１は摺動構成体の他の例を表す部分斜視図である。
【０００９】
この発明の真空式ラミネータ装置のフィルムローラ保持機構は、ラミネータ装置１０の機台１１に設けられた真空室（図示せず）に対して、フィルムＦ１，Ｆ２を送り出すためのフィルムローラを保持する機構に関する。図示の例では、図１に示したように送り出し側の上下に２つのフィルムローラ１５，１６を保持する機構を有し、図２に示したように巻き取り側にはこれに対応する上下２つのフィルムローラ１７，１８を保持する機構を有する。なお、フィルムローラ１５と１７、フィルムローラ１６と１８とがそれぞれ送り出しと巻き取りの関係にある。
【００１０】
この発明に係るフィルムローラ保持機構は、例えば送り出し側下側のフィルムローラ１５についての実施例である図３ないし図６に図示したように、両側にフィルムローラ１５の軸部１５Ａを保持する軸受け部２１、２１を有する側部材２２、２２と前記側部材２２，２２を連結するレール部材２５ならびにフィルムをガイドするガイドロッド２６とによって独立したローラ支持体２０を形成し、前記機台１１には前記ローラ支持体２０のレール部材２５の保持摺動部３０を設け、前記ローラ支持体２０を前記機台１１に保持しつつ前記フィルムローラ１５の軸部１５Ａ方向と平行に移動自在に構成したことを特徴とする。
【００１１】
この発明では、フィルムローラ保持機構を移動自在とするために、独立したローラ支持体２０が形成される。この場合において、ローラ支持体２０の構成を簡素化して軽量かつ経済的にするために、基本的に、前記側部材２２，２２とレール部材２５とフィルムガイドのためのガイドロッド２６によって支持体２０を構成する。これらは、いずれも移動可能なフィルムローラ保持機構に最小限に必要な部材である。なお、この例では、レール部材２５は図１に図示のようにローラ支持体２０の機台１１側の側端に２条形成されている。
【００１２】
そして、機台１１には前記ローラ支持体２０のレール部材２５の保持摺動部３０を設けて、前記ローラ支持体２０を前記機台１１に保持しつつ前記フィルムローラ１５の軸部１５Ａ方向と平行に移動自在とする。この例では、保持摺動部３０として、図１０に図示のように、転動ボール３３を内蔵した凹溝部３２を有する摺動保持ブロック３１が示される。この例におけるレール部材２５と摺動保持ブロック３１とは、摺動構成体Ｓ１を形成する。この摺動構成体Ｓ１は商品名「ＬＭブロック」(ＴＨＫ製)として知られている。
【００１３】
図３ないし図６の保持摺動部３０である摺動保持ブロック３１は、機台１１の引き出し側端部に部分的に形成されているが、必要に応じた長さとすることができる。この例では、レール部材２５が上下２条設けられており、摺動保持ブロック３１も上下２段に設けられ、ローラ支持体２０の総重量を考慮して保持可能な長さとしてある。
【００１４】
図において、符号２３は引き出し側の側板２２に形成された移動用のハンドル、２９は支持体２０のレール２５の先端に設けられた引き出し限度のためのストッパ（なお図４参照）、２８は支持体２０を所定の取付位置に固定するために側板２２に対して係合するように設けられたロックレバーである（なお図３及び図４参照）。
【００１５】
なお、軸受け部２１は、図５及び図６からも解るように、フィルムローラ１５の軸部１５Ａの挿入の便宜のために上方及び横側に挿入開口２１Ａ、２１Ｂを有する。このフィルムローラ１５は巻き取り側のフィルムローラ１７の巻き取りによって回転するものであるため、軸受け部２１にはローラ１５自体の自重で回転可能に保持されておればよい。また、図１からも解るように、軸受け部２１にフィルムローラ１５を装着した後に、他のフィルムローラ１９を重ねて装着することもある。
【００１６】
図７ないし図９は、巻取り側上側のフィルムローラ１８（図２参照）についての実施例である。図示したように、両側にフィルムローラ１８の軸部１８Ａを保持する軸受け部４１、４１を有する側部材４２、４２と前記側部材４２，４２を連結するレール部材４５ならびにフィルムをガイドするガイドロッド４６とによって独立したローラ支持体４０を形成し、前記機台１１には前記ローラ支持体４０のレール部材４５の保持摺動部５０を設け、前記ローラ支持体２０を前記機台１１に保持しつつ前記フィルムローラ１８の軸部１８Ａ方向と平行に移動自在に構成されている。なお、この例では、レール部材４５は図示のように支持体４０の機台１１側の上面に２条形成されている。図の符号４７は連結ロッドである。
【００１７】
この例では、巻き取り側であることより、側部材４２の軸受け部４１，４１はフィルムローラ１８の軸部１８Ａを回転する機構８０を備えている。符号８１は巻き取りモータで、８２は軸受け部の駆動軸部、８３は従動軸部、８４はローラ軸部１８Ａを着脱する際に従動軸部８３を進退させかつ芯合わせする回動ハンドル、８５はロックレバーである。
【００１８】
また、この例レール部材４５の保持摺動部５０は、図１１に図示のように、転動ボール５３を内蔵した摺動保持レール５１が示される。この例におけるレール部材４５と摺動保持レール５１とは、摺動構成体Ｓ２を形成する。この摺動構成体Ｓ２は商品名「スライドパック」（ＴＨＫ製）として知られている。なお、符号４３は移動用ハンドル、４８は支持体４０の固定用ロックレバーである。
【００１９】
図１の送り出し側上部のフィルムローラ１６の保持機構は、上記フィルムローラ１８のそれと基本的に同様である。ただし、送り出し側であることより、軸受け部に巻き取り用の軸部回転機構は備えていない。符号６０はローラ支持体、６１は軸受け部、６２は側板、６３はレール部材、６４はガイドロッド、６５は移動用ハンドル、６６はロックレバー、６７は機台側に固設された保持摺動部でレール部材６３と前記した摺動構成体Ｓ２を形成している。符号６８は連結ロッドである。
【００２０】
また、図２の巻き取り側下部のフィルムローラ１７の保持機構については、前記したフィルムローラ１５のそれと基本的に同様である。ただし、巻き取り側であることより、軸受け部に巻き取り用の軸部回転機構８０を備えている。符号７０はローラ支持体、７１は軸受け部、７２は側板、７３はレール部材、７４はガイドロッド、７５は移動用ハンドル、７６はロックレバー、７７は機台側に固設された保持摺動部でレール部材７３と前記した摺動構成体Ｓ１を形成している。なお、巻き取り用の軸部回転機構８０の構成は前記したと同様であるので説明を省略する。
【００２１】
【発明の効果】
以上図示し説明したように、この発明の真空式ラミネータ装置のフィルム保持構造によれば、フィルムを送り出すためのフィルムローラを保持するローラ支持体がフィルムローラの軸部方向と平行に移動自在に構成されているので、フィルムローラの交換に際しては、ローラ支持体をフィルムローラの軸部方向と平行に引き出して行うことができ、他の装置が連結されている場合にも、その交換作業等を無理なく簡単容易に遂行することができる。また、この発明のローラ支持体は、側部材とレール部材とガイドロッドの最小限の部材によって構成されるので、構造が簡素化され軽量でかつ経済的にも有利である。
【図面の簡単な説明】
【図１】  この発明のフィルムローラ保持機構の一実施例を示す真空ラミネータ装置の前部の側面図である。
【図２】  同じく真空ラミネータ装置の後部の側面図である。
【図３】  送り出し側のフィルムローラ保持機構を示す平面図である。
【図４】  図３のローラ支持体を引き出した状態の平面図である。
【図５】  ローラ支持体の斜視図である。
【図６】  ローラ支持体を引き出した状態の斜視図である。
【図７】  巻き取り側のフィルムローラ保持機構を示す平面図である。
【図８】  図７のローラ支持体の斜視図である。
【図９】  ローラ支持体を引き出した状態の斜視図である。
【図１０】  摺動構成体の一例を表す部分斜視図である。
【図１１】  摺動構成体の他の例を表す部分斜視図である。
【図１２】  従来の真空式ラミネータ装置のフィルムローラ保持機構を概略的に示す側面図である。
【符号の説明】
１０  真空式ラミネータ装置
１１  機台
１５，１６，１７，１８，１９  フィルムローラ
２０  ローラ支持体（送り出し側）
２１  軸受け部
２２  側板
２５  レール部材
２６  ガイドロッド
３０  保持摺動部
Ｓ１  転動ボールを内臓した保持摺動部
４０  ローラ支持体（巻き取り側）
４１  軸受け部
４２  側板
４５  レール部材
４６  ガイドロッド
５０  保持摺動部
Ｓ２  転動ボールを内臓した保持摺動部
８０  軸部回転機構
Ｆ１、Ｆ２  フィルム
【図１】
0003717797.tif 000002
【図２】
0003717797.tif 000003
【図３】
0003717797.tif 000004
【図４】
0003717797.tif 000005
【図５】
0003717797.tif 000006
【図６】
0003717797.tif 000007
【図７】
0003717797.tif 000008
【図８】
0003717797.tif 000009
【図９】
0003717797.tif 000010
【図１０】
0003717797.tif 000011
【図１１】
0003717797.tif 000012
【図１２】
0003717797.tif 000013